(57)【特許請求の範囲】
【請求項１】
２本の配管同士を接続する配管継手構造であって、
前記２本の配管のうちの一方の配管に接続され、雄ねじ部とテーパ状の外周面とを有するユニオンと、
軸方向一端側に形成され前記雄ねじ部に嵌め合わされる雌ねじ部と、軸方向他端側に形成され前記２本の配管のうちの他方の配管を貫通させる貫通孔と、前記雌ねじ部と前記貫通孔との間に形成され前記他方の配管のフレア部を前記外周面との間で挟むテーパ状の内周面と、軸方向他端において前記貫通孔の周囲に形成された第１環状面と、を有するフレアナットと、
前記フレアナットを回転自在かつ往復動自在に収容する筒状のスリーブと、
前記第１環状面と向かい合う第２環状面を有し、前記ユニオンに対して回転自在となるように前記スリーブに取り付けられた回転リングと、
前記フレアナットを前記回転リング側に付勢するように構成された付勢部材と、
を備え、
前記第２環状面には、前記フレアナット側に突出した爪部が設けられており、
前記第１環状面には、周方向の一方を向いて形成された係合面と、前記係合面と周方向に隣接し、周方向の他方を向くように傾斜して螺旋状に形成された螺旋斜面と、が設けられている配管継手構造。
【請求項２】
前記係合面は、前記回転リングが前記ユニオンに対して締付け方向に回転するときに前記爪部と係合するように構成されており、
前記螺旋斜面は、前記回転リングが前記ユニオンに対して前記締付け方向とは逆方向に回転するときに前記爪部を周方向に摺動させるように構成されている請求項１に記載の配管継手構造。
【請求項３】
前記螺旋斜面の巻き方向は、前記雌ねじ部の巻き方向と同じである請求項１又は請求項２に記載の配管継手構造。
【請求項４】
室内熱交換器と前記室内熱交換器から延びた室内配管とを有する室内機と、
延長配管を介して前記室内機と接続される室外機と、
を備え、
前記室内配管と前記延長配管とは、請求項１〜請求項３のいずれか一項に記載の配管継手構造を用いて接続される空気調和機。
【発明の詳細な説明】
【技術分野】
【０００１】
本発明は、２本の配管同士を接続する配管継手構造及びそれを備えた空気調和機に関するものである。
【背景技術】
【０００２】
特許文献１には、管継手の構造が記載されている。この管継手は、筒状の接続口本体と、接続口本体に螺合される異径筒状のフレアナットと、を有している。接続口本体及びフレアナットには、第１の係合リブ及び第２の係合リブがそれぞれ設けられている。第１の係合リブ及び第２の係合リブは、接続口本体とフレアナットとの接続完了時に相互に係合する。同文献には、第１の係合リブ及び第２の係合リブが係合することにより、一旦接続された接続口本体とフレアナットとが簡単には取り外せないようになることが記載されている。
【先行技術文献】
【特許文献】
【０００３】
【特許文献１】特開２００３−７４７６８号公報
【発明の概要】
【発明が解決しようとする課題】
【０００４】
しかしながら、特許文献１の管継手の構造では、接続口本体とフレアナットとの間に反締め付け方向の強いトルクが加えられると、第１の係合リブ又は第２の係合リブが破壊され、接続口本体とフレアナットとの接続が緩められてしまう場合があるという課題があった。【０００５】
本発明は、上述のような課題を解決するためになされたものであり、配管同士の接続が緩められてしまうのを防止できる配管継手構造及び空気調和機を提供することを目的とする。
【課題を解決するための手段】
【０００６】
本発明に係る配管継手構造は、２本の配管同士を接続する配管継手構造であって、前記２本の配管のうちの一方の配管に接続され、雄ねじ部とテーパ状の外周面とを有するユニオンと、軸方向一端側に形成され前記雄ねじ部に嵌め合わされる雌ねじ部と、軸方向他端側に形成され前記２本の配管のうちの他方の配管を貫通させる貫通孔と、前記雌ねじ部と前記貫通孔との間に形成され前記他方の配管のフレア部を前記外周面との間で挟むテーパ状の内周面と、軸方向他端において前記貫通孔の周囲に形成された第１環状面と、を有するフレアナットと、前記フレアナットを回転自在かつ往復動自在に収容する筒状のスリーブと、前記第１環状面と向かい合う第２環状面を有し、前記ユニオンに対して回転自在となるように前記スリーブに取り付けられた回転リングと、前記フレアナットを前記回転リング側に付勢するように構成された付勢部材と、を備え、前記第２環状面には、前記フレアナット側に突出した爪部が設けられており、前記第１環状面には、周方向の一方を向いて形成された係合面と、前記係合面と周方向に隣接し、周方向の他方を向くように傾斜して螺旋状に形成された螺旋斜面と、が設けられているものである。【０００７】
本発明に係る空気調和機は、室内熱交換器と前記室内熱交換器から延びた室内配管とを有する室内機と、延長配管を介して前記室内機と接続される室外機と、を備え、前記室内配管と前記延長配管とは、本発明に係る配管継手構造を用いて接続されるものである。
【発明の効果】
【０００８】
本発明によれば、ユニオンに対する締付け方向のトルクが回転リングに加えられた場合、回転リングの爪部がフレアナットの係合面に係合する。これにより、当該トルクが回転リングからフレアナットに伝達されるため、フレアナットはユニオンに対して締付け方向に回転する。これに対し、締付け方向とは逆方向のトルクが回転リングに加えられた場合、当該トルクがフレアナットに伝達されず、回転リングは空転する。また、フレアナットは筒状のスリーブに回転自在に収容されているため、上記逆方向のトルクが回転リングを介さずにフレアナットに加えられるのを防ぐことができる。したがって、本発明によれば、配管同士の接続が緩められてしまうのを防止できる。
【図面の簡単な説明】
【０００９】
【図１】本発明の実施の形態１に係る空気調和機の概略構成を示す図である。
【図２】本発明の実施の形態１に係る空気調和機の室内機１１０の構成を示す分解斜視図である。
【図３】本発明の実施の形態１に係る空気調和機の室内熱交換器１１５及び延長配管１２０、１２１の構成を示す斜視図である。
【図４】本発明の実施の形態１に係る配管継手構造の部品構成を示す図である。
【図５】本発明の実施の形態１に係る配管継手構造の構成を示す断面図である。
【図６】本発明の実施の形態１に係る配管継手構造の構成を示す斜視図である。
【図７】本発明の実施の形態１に係る配管継手構造のナットアッシー２０の構成を示す分解図である。
【図８】本発明の実施の形態１に係る配管継手構造のフレアナット３０を軸方向他端側から見た構成を示す斜視図である。
【図９】本発明の実施の形態１に係る配管継手構造の回転リング５０を軸方向一端側から見た構成を示す斜視図である。
【図１０】本発明の実施の形態１に係る空気調和機の出荷段階におけるナットアッシー２０及び延長配管１２０の構成を示す斜視図である。
【図１１】本発明の実施の形態１に係る空気調和機の出荷段階におけるナットアッシー２０及び延長配管１２０の構成を示す断面斜視図である。
【図１２】本発明の実施の形態１に係るキャップ８０の構成を示す斜視図である。
【図１３】本発明の実施の形態１に係るキャップ８０の構成を示す断面斜視図である。
【図１４】本発明の実施の形態１に係る配管継手構造において、締付け方向のトルクが回転リング５０に加えられた場合の動作を示す図である。
【図１５】本発明の実施の形態１に係る配管継手構造において、締付け方向とは逆方向のトルクが回転リング５０に加えられた場合の動作を示す図である。
【発明を実施するための形態】
【００１０】
実施の形態１．
本発明の実施の形態１に係る配管継手構造及び空気調和機について説明する。図１は、本実施の形態に係る空気調和機の概略構成を示す図である。図１に示すように、空気調和機は、室外に設置される室外機１００と、室内に設置される室内機１１０と、を有している。室外機１００には、圧縮機、四方弁、室外熱交換器及び膨張弁と、室外熱交換器に空気を供給する室外ファンと、が収容されている。室内機１１０には、室内熱交換器と、室内熱交換器に空気を供給する室内ファンと、が収容されている。室内機１１０については、図２及び図３を用いて後述する。圧縮機、四方弁、室外熱交換器、膨張弁及び室内熱交換器は、冷媒配管を介して環状に接続されている。これにより、冷媒回路が構成される。冷媒回路では、冷媒が循環することにより冷凍サイクルが実行される。
【００１１】
冷媒回路に充填される冷媒としては、例えば、ＨＦＣ−３２、ＨＦＯ冷媒、及びＲ２９０（プロパン）等の可燃性冷媒が用いられる。ここで、可燃性冷媒とは、微燃レベル以上（例えば、ＡＳＨＲＡＥ３４の分類で２Ｌ以上）の燃焼性を有する冷媒のことである。ＨＦＣ−３２及びＨＦＯ冷媒は、微燃レベル又は弱燃レベルの燃焼性を有している。Ｒ２９０は、強燃レベルの燃焼性を有している。
【００１２】
また、空気調和機は、室外機１００と室内機１１０とを接続する２本の延長配管１２０、１２１を有している。延長配管１２０、１２１は、上記冷媒配管の一部である。延長配管１２０は、主にガス冷媒を流通させるガス管である。延長配管１２１は、主に液冷媒又は二相冷媒を流通させる液管である。２本の延長配管１２０、１２１は、空気調和機を設置する工程の途中で、図１に示すようにドレン配管及び電気配線と共に１本に束ねられる。
【００１３】
図２は、本実施の形態に係る空気調和機の室内機１１０の構成を示す分解斜視図である。図２に示すように、室内機１１０は、背面筐体１１１、前面筐体１１２、吹出口筐体１１３、正面意匠パネル１１４、室内熱交換器１１５、室内ファン１１６及び電気品箱１１７を有している。背面筐体１１１、前面筐体１１２及び吹出口筐体１１３は、室内機１１０の筐体を構成している。正面意匠パネル１１４は、前面筐体１１２に開閉可能かつ取外し可能に取り付けられている。室内熱交換器１１５、室内ファン１１６及び電気品箱１１７は、室内機１１０の筐体の内部に収容されている。室内熱交換器１１５は、冷媒回路の一部を構成し、冷媒と室内空気との熱交換を行う熱交換器である。室内ファン１１６は、室内熱交換器１１５に空気を供給するように構成された貫流ファンである。電気品箱１１７には、各種電気部品が収容されている。
【００１４】
図３は、本実施の形態に係る空気調和機の室内熱交換器１１５及び延長配管１２０、１２１の構成を示す斜視図である。図３に示すように、室内熱交換器１１５は、当該室内熱交換器１１５の本体から延びた室内配管１１８、１１９を有している。室内配管１１８、１１９はそれぞれ、室内熱交換器１１５の製造工程において、ろう付け等により室内熱交換器１１５の本体に接続されている。室内配管１１８は、主にガス冷媒を流通させるガス管である。室内配管１１９は、主に液冷媒又は二相冷媒を流通させる液管である。室内配管１１８の管径は、室内配管１１９の管径よりも大きくなっている。また、室内配管１１８の長さは、室内配管１１９の長さよりも短くなっている。室内配管１１８の先端には、ガス管である延長配管１２０の一端が接続される。室内配管１１９の先端には、液管である延長配管１２１の一端が接続される。延長配管１２０の管径は、延長配管１２１の管径よりも大きくなっている。
【００１５】
次に、室内配管１１８と延長配管１２０とを接続するガス管側の配管継手構造について説明する。室内配管１１９と延長配管１２１とを接続する液管側の配管継手構造は、寸法が異なることを除きガス管側の配管継手構造と同様であるため説明を省略する。
【００１６】
図４は、本実施の形態に係る配管継手構造の部品構成を示す図である。図５は、本実施の形態に係る配管継手構造の構成を示す断面図である。図６は、本実施の形態に係る配管継手構造の構成を示す斜視図である。図６では、後述するスリーブ７０を透視したときの構成を示している。
【００１７】
図４〜図６に示すように、配管継手構造は、ユニオン１０と、ユニオン１０と接続されるナットアッシー２０と、を有している。ユニオン１０及びナットアッシー２０のそれぞれの軸方向は、図４及び図５の左右方向である。図４及び図５の左側を、ユニオン１０及びナットアッシー２０のそれぞれの軸方向一端側という場合がある。また、図４及び図５の右側を、ユニオン１０及びナットアッシー２０のそれぞれの軸方向他端側という場合がある。
【００１８】
ユニオン１０は、室内配管１１８（図４〜図６では図示せず）の先端に取り付けられている。ユニオン１０は、室内配管１１８の先端が挿入される挿入穴１１を軸方向一端側に備え、雄ねじ部１３を軸方向他端側に備えるいわゆる片ユニオンである。ユニオン１０は金属製である。ユニオン１０と、挿入穴１１に挿入された室内配管１１８とは、室内熱交換器１１５の製造工程において、ろう付け等により接合されている。また、ユニオン１０は、正六角柱状の頭部１２と、軸方向他端側の先端部に形成されたテーパ状の外周面１４と、を有している。ユニオン１０は、フレアボルトと呼ばれる場合もある。
【００１９】
ナットアッシー２０は、延長配管１２０に取り付けられている。ナットアッシー２０は、後述するフレアナット３０を含む組立部品である。空気調和機の出荷段階におけるナットアッシー２０及び延長配管１２０の構成については、図１０〜図１３を用いて後述する。延長配管１２０の一端には、円錐状に加工されたフレア部１２０ａが形成されている。
【００２０】
図７は、本実施の形態に係る配管継手構造のナットアッシー２０の構成を示す分解図である。図５及び図７に示すように、ナットアッシー２０は、フレアナット３０、止め輪４０、回転リング５０、コイルばね６０及びスリーブ７０を有している。フレアナット３０、止め輪４０、回転リング５０、コイルばね６０及びスリーブ７０は、いずれも金属製である。フレアナット３０、止め輪４０、回転リング５０、コイルばね６０及びスリーブ７０のそれぞれの軸方向は、図５及び図７の左右方向である。図５及び図７における左側を、フレアナット３０、止め輪４０、回転リング５０、コイルばね６０及びスリーブ７０のそれぞれの軸方向一端側という場合がある。また、図５及び図７における右側を、フレアナット３０、止め輪４０、回転リング５０、コイルばね６０及びスリーブ７０のそれぞれの軸方向他端側という場合がある。
【００２１】
フレアナット３０は、ユニオン１０の雄ねじ部１３に嵌め合わされる雌ねじ部３１を軸方向一端側に有しており、延長配管１２０を貫通させる貫通孔３２を軸方向他端側に有している。フレアナット３０の軸方向において雌ねじ部３１と貫通孔３２との間には、延長配管１２０のフレア部１２０ａをユニオン１０の外周面１４との間で挟むテーパ状の内周面３３が形成されている。また、フレアナット３０は、相対的に外径の小さい小外径部３４を軸方向一端側に有しており、小外径部３４よりも外径の大きいフランジ状の大外径部３５を軸方向他端側に有している。小外径部３４及び大外径部３５はいずれも、円筒状の外周面を有している。小外径部３４と大外径部３５との間の段差には、コイルばね６０の軸方向他端に当接する当接面３９が形成されている。
【００２２】
図８は、本実施の形態に係る配管継手構造のフレアナット３０を軸方向他端側から見た構成を示す斜視図である。図８に示すように、フレアナット３０の軸方向他端には、貫通孔３２の開口端の周囲に環状に形成された第１環状面３６が設けられている。第１環状面３６には、係合面３７と、係合面３７と周方向に隣接した螺旋斜面３８と、が形成されている。係合面３７は、周方向の一方を向くように傾斜して形成されている。フレアナット３０の軸方向に垂直な平面を基準面とすると、基準面に対する係合面３７の傾斜角度θ１は約９０°である。係合面３７は、回転リング５０が締付け方向に回転したときに後述する爪部５６と係合するように構成されている。螺旋斜面３８は、係合面３７の向きとは逆方向、すなわち周方向の他方を向くように傾斜して螺旋状に形成されている。上記基準面に対する螺旋斜面３８の傾斜角度θ２は、係合面３７の傾斜角度θ１よりも小さくなっている（θ２＜θ１）。螺旋斜面３８は、回転リング５０が締付け方向とは逆方向に回転したときに爪部５６を周方向に摺動させるように構成されている。
【００２３】
螺旋斜面３８の巻き方向は、雌ねじ部３１の巻き方向と同じである。本実施の形態では、雄ねじ部１３が右ねじであるため、雌ねじ部３１の螺旋溝は右巻き螺旋状に形成されている。したがって、螺旋斜面３８は右巻き螺旋状に形成されている。ここで、右巻き螺旋とは、螺旋軸に沿って見たとき、右回り方向すなわち時計回り方向にたどると奥に進む螺旋である。
【００２４】
本実施の形態では、互いに向き合う方向に傾斜した係合面３７及び螺旋斜面３８の組が、周方向に等間隔で３組設けられている。係合面３７及び螺旋斜面３８の組の数は、１組、２組又は４組以上であってもよい。
【００２５】
図５及び図７に戻り、スリーブ７０は、円筒状の形状を有している。スリーブ７０の内周側には、フレアナット３０の全体が回転自在かつ往復動自在に収容される。スリーブ７０は、フレアナット３０の小外径部３４が摺動自在に嵌入する小内径部７１を軸方向一端側に有し、フレアナット３０の大外径部３５が摺動自在に嵌入する大内径部７２を軸方向他端側に有している。小内径部７１の内径は、フレアナット３０の小外径部３４の外径と同一又はそれより大きくなっており、かつ、フレアナット３０の大外径部３５の外径よりも小さくなっている。大内径部７２の内径は、フレアナット３０の大外径部３５の外径と同一又はそれより大きくなっている。スリーブ７０の内周側において、小内径部７１と大内径部７２との間の段差には、コイルばね６０の軸方向一端を支持する支持面７３が形成されている。
【００２６】
スリーブ７０の内周面のうち軸方向他端寄りには、周方向に延びた内周溝７４が形成されている。スリーブ７０の外周面のうち軸方向一端寄りには、周方向に延びたキャップ溝７５が形成されている。キャップ溝７５には、後述するキャップ８０の爪８４が嵌め込まれる。
【００２７】
回転リング５０は、延長配管１２０を軸方向に貫通させる貫通孔５３を有するリング状の部材である。また、回転リング５０は、円筒状の挿入部５１を軸方向一端側に有しており、例えば正六角柱状の頭部５２を軸方向他端側に有している。挿入部５１は、スリーブ７０の軸方向他端側から大内径部７２に挿入されている。挿入部５１の外周面には、周方向に延びた外周溝５４が形成されている。頭部５２は、スリーブ７０には挿入されておらず、スリーブ７０の軸方向他端側にはみ出している。フレアナット３０及び回転リング５０のうち、スリーブ７０の径方向に見てスリーブ７０から露出しているのは、回転リング５０の頭部５２のみである。
【００２８】
止め輪４０は、回転リング５０がスリーブ７０から抜けるのを防ぐ部材である。止め輪４０は、Ｃ字状又はＯ字状の形状を有している。止め輪４０の内周部は、回転リング５０の外周溝５４に摺動自在に嵌め込まれている。止め輪４０の外周部は、スリーブ７０の内周溝７４に摺動自在に嵌め込まれている。これにより、回転リング５０は、止め輪４０を介して、スリーブ７０に対して回転自在かつ抜き差し不能に取り付けられる。回転リング５０は、ユニオン１０に対しても回転自在となる。
【００２９】
回転リング５０は、圧入によりスリーブ７０に取り付けられるようにしてもよい。この場合、回転リング５０はスリーブ７０に抜き差し不能に固定され、回転リング５０及びスリーブ７０はユニオン１０に対して回転自在となる。回転リング５０が圧入によりスリーブ７０に取り付けられる場合、止め輪４０を省略できるため、ナットアッシー２０の部品点数を削減できる。
【００３０】
図９は、本実施の形態に係る配管継手構造の回転リング５０を軸方向一端側から見た構成を示す斜視図である。図９に示すように、回転リング５０の挿入部５１の軸方向一端には、貫通孔５３の開口端の周囲に環状に形成された第２環状面５５が設けられている。第２環状面５５は、スリーブ７０内において、フレアナット３０の第１環状面３６と向かい合うように配置される。第２環状面５５には、少なくとも１つの爪部５６が、軸方向一端側すなわちフレアナット３０側に突出して形成されている。爪部５６は、先端が平坦な台形状の形状を有している。本実施の形態では、周方向に等間隔で３つの爪部５６が設けられている。爪部５６の個数は、係合面３７及び螺旋斜面３８の組の数と同数又はそれより少なくなっている。爪部５６、係合面３７及び螺旋斜面３８は、回転リング５０からフレアナット３０に一方向のトルクを伝達し、逆方向のトルクを伝達しないラチェット機構として機能する。
【００３１】
図５及び図７に戻り、コイルばね６０は、フレアナット３０の小外径部３４の外周側であってスリーブ７０の内周側に配置されている。コイルばね６０は、圧縮コイルばねである。コイルばね６０の軸方向一端は、スリーブ７０に形成された支持面７３に支持されている。コイルばね６０の軸方向他端は、フレアナット３０に形成された当接面３９に当接している。フレアナット３０は、コイルばね６０により、スリーブ７０に対して相対的に回転リング５０側に付勢される。これにより、フレアナット３０の第１環状面３６と回転リング５０の第２環状面５５とが互いに押し付けられるため、第２環状面５５の爪部５６は、第１環状面３６の係合面３７又は螺旋斜面３８に常に接触する。コイルばね６０は、フレアナット３０を回転リング５０側に付勢する付勢部材の一例である。
【００３２】
次に、空気調和機の出荷段階におけるナットアッシー２０及び延長配管１２０の構成について説明する。空気調和機の出荷段階では、ナットアッシー２０及び延長配管１２０は、延長配管１２０の少なくとも一端にナットアッシー２０が取り付けられたナット付き配管として梱包される。図１０は、本実施の形態に係る空気調和機の出荷段階におけるナットアッシー２０及び延長配管１２０の構成を示す斜視図である。図１１は、本実施の形態に係る空気調和機の出荷段階におけるナットアッシー２０及び延長配管１２０の構成を示す断面斜視図である。図１０及び図１１に示すように、空気調和機の出荷段階における延長配管１２０の一端には、ナットアッシー２０が取り付けられている。ナットアッシー２０には、樹脂製のキャップ８０が着脱自在に取り付けられている。キャップ８０がナットアッシー２０に取り付けられることによって、延長配管１２０の一端のフレア部１２０ａが保護されるとともに、ナットアッシー２０の位置が延長配管１２０の一端に固定される。
【００３３】
図１２は、本実施の形態に係るキャップ８０の構成を示す斜視図である。図１３は、本実施の形態に係るキャップ８０の構成を示す断面斜視図である。図１２及び図１３に示すように、キャップ８０は、円筒形状の側壁部８１と、側壁部８１の軸方向一端を閉塞する底面部８２と、底面部８２の中心部から軸方向他端側に向かって突出した突出部８３と、を有している。突出部８３は、フレアナット３０のテーパ状の内周面３３との間で延長配管１２０のフレア部１２０ａを挟むように構成されている。
【００３４】
側壁部８１には、内周側に突出した爪８４が形成されている。本実施の形態では、３つの爪８４が周方向に等間隔で配置されている。３つの爪８４のそれぞれは、キャップ８０がナットアッシー２０に取り付けられる際に、スリーブ７０のキャップ溝７５に嵌め込まれる。
【００３５】
次に、本実施の形態に係る配管継手構造の動作について説明する。室内配管１１８と延長配管１２０とが接続される際には、スパナ及びトルクレンチが用いられることにより、ユニオン１０の頭部１２と回転リング５０の頭部５２との間に締付け方向のトルクが加えられる。ここで、フレアナット３０はスリーブ７０に回転自在に収容されているため、トルクがフレアナット３０に直接加えられることはなく、回転リング５０を介してのみトルクがフレアナット３０に加えられる。また、コイルばね６０の付勢力により、回転リング５０の爪部５６は、フレアナット３０の係合面３７又は螺旋斜面３８に常に接触している。
【００３６】
図１４は、本実施の形態に係る配管継手構造において、締付け方向のトルクが回転リング５０に加えられた場合の動作を示す図である。図１４に示すように、締付け方向のトルクが回転リング５０に加えられた場合（矢印Ａ１）、回転リング５０の爪部５６がフレアナット３０の係合面３７に係合する。これにより、締付け方向のトルクが回転リング５０からフレアナット３０に伝達されるため、フレアナット３０はユニオン１０に対して締付け方向に回転する（矢印Ａ２）。これにより、ユニオン１０の外周面１４とフレアナット３０の内周面３３との間に延長配管１２０のフレア部１２０ａが挟まれ、室内配管１１８と延長配管１２０とが接続される。
【００３７】
図１５は、本実施の形態に係る配管継手構造において、締付け方向とは逆方向のトルクが回転リング５０に加えられた場合の動作を示す図である。図１５に示すように、締付け方向とは逆方向のトルクが回転リング５０に加えられた場合（矢印Ａ３）、回転リング５０の爪部５６は、係合面３７には係合されず、フレアナット３０の螺旋斜面３８を周方向に摺動する。爪部５６は、螺旋斜面３８を周方向に摺動し、係合面３７を滑り落ち、次の螺旋斜面３８を周方向に摺動する、という動作を繰り返す。これにより、回転リング５０に加えられた締付け方向と逆方向のトルクは、回転リング５０からフレアナット３０には伝達されず、回転リング５０は空転する。回転リング５０の回転に伴い、フレアナット３０はユニオン１０と共に、係合面３７の軸方向高さと等しい移動幅で軸方向に往復運動を行う（矢印Ａ４）。このように、締付け方向とは逆方向のトルクが回転リング５０に加えられた場合には、当該トルクがフレアナット３０には伝達されない。このため、フレアナット３０がユニオン１０に対して例えば人為的に緩められてしまうのを防ぐことができる。
【００３８】
以上説明したように、本実施の形態に係る配管継手構造は、室内配管１１８と延長配管１２０とを接続する配管継手構造である。配管継手構造は、ユニオン１０と、フレアナット３０と、筒状のスリーブ７０と、回転リング５０と、コイルばね６０と、を備えている。ユニオン１０は、室内配管１１８に接続され、雄ねじ部１３とテーパ状の外周面１４とを有する。フレアナット３０は、軸方向一端側に形成され雄ねじ部１３に嵌め合わされる雌ねじ部３１と、軸方向他端側に形成され延長配管１２０を貫通させる貫通孔３２と、雌ねじ部３１と貫通孔３２との間に形成され延長配管１２０のフレア部１２０ａを外周面１４との間で挟むテーパ状の内周面３３と、軸方向他端において貫通孔３２の周囲に形成された第１環状面３６と、を有する。スリーブ７０は、フレアナット３０を回転自在かつ往復動自在に収容する。回転リング５０は、第１環状面３６と向かい合う第２環状面５５を有し、ユニオン１０に対して回転自在となるようにスリーブ７０に取り付けられている。コイルばね６０は、フレアナット３０を回転リング５０側に付勢するように構成されている。第２環状面５５には、フレアナット３０側に突出した爪部５６が設けられている。第１環状面３６には、周方向の一方を向いて形成された係合面３７と、係合面３７と周方向に隣接し、周方向の他方を向くように傾斜して螺旋状に形成された螺旋斜面３８と、が設けられている。ここで、室内配管１１８及び延長配管１２０は、配管の一例である。コイルばね６０は、付勢部材の一例である。
【００３９】
この構成によれば、ユニオン１０に対する締付け方向のトルクが回転リング５０に加えられた場合、回転リング５０の爪部５６がフレアナット３０の係合面３７に係合する。これにより、当該トルクが回転リング５０からフレアナット３０に伝達されるため、フレアナット３０はユニオン１０に対して締付け方向に回転する。これに対し、締付け方向とは逆方向のトルクが回転リング５０に加えられた場合、当該トルクがフレアナット３０に伝達されず、回転リング５０は空転する。また、フレアナット３０は筒状のスリーブ７０に回転自在に収容されているため、上記逆方向のトルクが回転リング５０を介さずにフレアナット３０に加えられるのを防ぐことができる。したがって、本実施の形態によれば、配管同士の接続が例えば人為的に緩められてしまったり、一旦接続された配管同士が例えば人為的に取り外されてしまったりするのを防止できる。
【００４０】
本実施の形態に係る配管継手構造において、係合面３７は、回転リング５０がユニオン１０に対して締付け方向に回転するときに爪部５６と係合するように構成されていてもよい。また、螺旋斜面３８は、回転リング５０がユニオン１０に対して締付け方向とは逆方向に回転するときに爪部５６を周方向に摺動させるように構成されていてもよい。
【００４１】
本実施の形態に係る配管継手構造において、螺旋斜面３８の巻き方向は、雌ねじ部３１の巻き方向と同じであってもよい。
【００４２】
また、本実施の形態に係る空気調和機は、室内熱交換器１１５と室内熱交換器１１５から延びた室内配管１１８とを有する室内機１１０と、延長配管１２０を介して室内機１１０と接続される室外機１００と、を備えている。室内配管１１８と延長配管１２０とは、本実施の形態に係る配管継手構造を用いて接続される。
【００４３】
この構成によれば、室内配管１１８と延長配管１２０との接続が緩められてしまうのを防止できるため、冷媒が室内に漏洩するのを防ぐことができる。例えば、密閉状態の室内に冷媒が漏れてしまうと、漏洩した冷媒を大気中に拡散させるのが困難となる。したがって、本実施の形態に係る配管継手構造は、室内配管１１８と延長配管１２０との接続に用いられることにより、特に高い効果を奏する。
【００４４】
特に、可燃性冷媒が用いられる空気調和機では、冷媒が室内に漏洩するのをより確実に防ぐ必要がある。このため、本実施の形態に係る配管継手構造は、可燃性冷媒が用いられる空気調和機に用いられることにより、特に高い効果を奏する。
【符号の説明】
【００４５】
１０  ユニオン、１１  挿入穴、１２  頭部、１３  雄ねじ部、１４  外周面、２０  ナットアッシー、３０  フレアナット、３１  雌ねじ部、３２  貫通孔、３３  内周面、３４  小外径部、３５  大外径部、３６  第１環状面、３７  係合面、３８  螺旋斜面、３９  当接面、４０  止め輪、５０  回転リング、５１  挿入部、５２  頭部、５３  貫通孔、５４  外周溝、５５  第２環状面、５６  爪部、６０  コイルばね、７０  スリーブ、７１  小内径部、７２  大内径部、７３  支持面、７４  内周溝、７５  キャップ溝、８０  キャップ、８１  側壁部、８２  底面部、８３  突出部、８４  爪、１００  室外機、１１０  室内機、１１１  背面筐体、１１２  前面筐体、１１３  吹出口筐体、１１４  正面意匠パネル、１１５  室内熱交換器、１１６  室内ファン、１１７  電気品箱、１１８、１１９  室内配管、１２０、１２１  延長配管、１２０ａ  フレア部。
【図１】
0006956902.tif 000002
【図２】
0006956902.tif 000003
【図３】
0006956902.tif 000004
【図４】
0006956902.tif 000005
【図５】
0006956902.tif 000006
【図６】
0006956902.tif 000007
【図７】
0006956902.tif 000008
【図８】
0006956902.tif 000009
【図９】
0006956902.tif 000010
【図１０】
0006956902.tif 000011
【図１１】
0006956902.tif 000012
【図１２】
0006956902.tif 000013
【図１３】
0006956902.tif 000014
【図１４】
0006956902.tif 000015
【図１５】
0006956902.tif 000016